(57)【要約】【課題】液晶表示装置における液晶の応答速度を改善できるようにする。【解決手段】液晶表示装置のデータドライバにおける最大階調に対応する出力及び最小階調に対応する出力の少なくとも一方は、液晶の応答速度を改善するデータ補正が施された画像データでのみ使用するようにして、すべての領域で応答速度を改善するためのデータ補正を行うことができるようにする。【選択図】  図１
2004302160.tif 000002
【特許請求の範囲】
【請求項１】
入力される画像データを前フレームの画像データと比較し、比較結果に基づいて液晶の応答速度を改善するデータ補正を上記入力される画像データに施す液晶表示装置であって、
データドライバにおける最大階調に対応する出力及び最小階調に対応する出力の少なくとも一方は、上記データ補正後の画像データでのみ使用することを特徴とする液晶表示装置。
【請求項２】
上記データドライバは、上記画像データにより指定可能なすべての階調に対応する出力に加え、上記最大階調の輝度よりも高い輝度に対応する出力及び上記最小階調の輝度よりも低い輝度に対応する出力の少なくとも一方を出力可能であることを特徴とする請求項１に記載の液晶表示装置。
【請求項３】
入力される画像データを前フレームの画像データと比較し、比較結果に基づいて液晶の応答速度を改善するデータ補正を上記入力される画像データに施す液晶表示装置であって、
上記画像データに処理を施して輝度レベルを増加させる処理部を有し、
上記処理部は上記データ補正後の画像データに対しては処理が禁止されることを特徴とする液晶表示装置。
【請求項４】
入力される画像データを前フレームの画像データと比較し、比較結果に基づいて液晶の応答速度を改善するデータ補正を上記入力される画像データに施すとともに、バックライトのインパルス駆動を行う液晶表示装置であって、
上記データ補正における補正量を、少なくとも１水平ライン以上の単位で変化させることを特徴とする液晶表示装置。
【請求項５】
入力される画像データを前フレームの画像データと比較し、比較結果に基づいて液晶の応答速度を改善するデータ補正を上記入力される画像データに施すとともに、上記データ補正における補正量を温度に応じて変化させる液晶表示装置であって、
電源投入時から温度安定時までは、温度測定部にて測定した温度を時間経過とともに変化する温度補正量で補正することを特徴とする液晶表示装置。
【発明の詳細な説明】
【０００１】
【発明の属する技術分野】
本発明は、液晶表示装置に関し、特に液晶表示装置の高速応答駆動に関する。
【０００２】
【従来の技術】
近年、省エネルギー及び省スペースの要求に応じて、液晶表示装置を備えたノートＰＣ（パーソナル・コンピュータ）やデスクトップＰＣが普及している。また、動画等の表示特性を改善するために、ノートＰＣやデスクトップＰＣ等が備える液晶表示装置においてもさらなる高速応答化が要求されている。このため、従来、液晶の材料特性、表示素子の構成及び構造、表示装置の駆動方法の点から液晶の応答速度の改善を図っている。
従来の液晶表示装置での高速応答駆動方法については、例えば特許文献１〜特許文献３等に開示されている。
【０００３】
【特許文献１】
特開２００１−２６５２９８号公報
【特許文献２】
特開２００２−１０７６９４号公報
【特許文献３】
特開２００２−２９７１０４号公報
【０００４】
【発明が解決しようとする課題】
しかしながら、従来の液晶表示装置での高速応答駆動については、以下に説明するような様々な問題がある。
【０００５】
＜第１の問題点＞
液晶の応答速度を改善するためのデータ補正を行うことができない領域や、データ補正を行っても意図した速度で応答できない領域がある。
図７（Ａ）、（Ｂ）は、上述した第１の問題点を説明するための図であり、高速応答駆動方法の基本概念を示している。
【０００６】
図７（Ａ）に示すように、液晶表示装置に入力される入力信号が、フレームＦ１のタイミングで例えば階調Ａ（信号レベルＳＡ）から階調Ｂ（信号レベルＳＢ）に変化したとする。
【０００７】
このとき、輝度は、１フレーム期間内に階調Ａの輝度レベルＢＡから階調Ｂの輝度レベルＢＢまで変化しなければならない、つまりフレームＦ２のタイミングにて階調Ｂの輝度レベルＢＢに到達しなければならない。しかし、実線ＬＢにより示すように液晶の応答が遅く、１フレーム期間内に輝度は階調Ｂの輝度レベルＢＢまで到達しない。
【０００８】
ここで、図７（Ａ）に示されるようにフレームＦ１のタイミングにて入力信号を階調Ａから階調Ｃ（信号レベルＳＣ）に変化させた場合には、１フレーム期間経過後のフレームＦ２のタイミングにて輝度が階調Ｂの輝度レベルＢＢに変化することがわかる。そこで、図７（Ｂ）に示すように入力信号が階調Ａから階調Ｂに切り替わる場合には、切り替わりのフレーム期間のみ階調Ｃを入力するようにデータを補正する。これにより、１フレーム期間内に階調Ａの輝度レベルＢＡから階調Ｂの輝度レベルＢＢまで輝度を変化させることができる。
【０００９】
しかしながら、変化後の階調Ｂが最大の輝度レベルである場合には、当該輝度レベル以上の階調が存在しないので、データに補正を施すことができないという問題がある。なお、上述した説明では、輝度が低い階調Ａから高い階調Ｂに変化する場合を一例として示したが、高い階調から低い階調に変化する場合も同様である。以下においても同様に低い階調から高い階調に変化する場合を一例として示す。
【００１０】
＜第２の問題点＞
誤差拡散との併用によりデータの補正量にずれが生ずる。
図８は、第２の問題点を説明するための図である。図８は、１フレーム期間内に階調Ａから階調Ｂに変化させるための補正階調を、階調Ｃから１階調だけ異なる階調（Ｃ＋１）にしたときの応答特性を示しており、１階調だけ異なることで意図する輝度より高くなる。
【００１１】
誤差拡散の一般的な方法について、図９に基づいて説明する。誤差拡散では、階調Ｃと階調（Ｃ＋１）との中間の階調Ｃ’の輝度レベルを実現するときには、階調Ｃと階調（Ｃ＋１）とを組み合わせて表示し、これらが観察者の視覚により平均化されることで階調Ｃ’の輝度レベルを実現している。
【００１２】
したがって、１フレーム期間内に階調Ａから階調Ｂに変化させるための補正階調が階調Ｃ’である場合には、実際に用いる補正階調は階調Ｃ又は（Ｃ＋１）の何れかが選択される。そのため、図８に示したように補正量が大きくなってしまうおそれがある。
【００１３】
＜第３の問題点＞
バックライトのインパルス駆動を行った場合に画面位置によって輝度が異なる。
図１０（Ａ）、（Ｂ）、（Ｃ）は、第３の問題点を説明するための図である。
図１０（Ａ）は、パネル１０１における表示ラインＬ１とＬ２との位置関係を示しており、図１０（Ｂ）は、表示ラインＬ１、Ｌ２をそれぞれ階調Ａから階調Ｂに変化させる際の時間と応答（輝度レベル）との関係を示している。
【００１４】
液晶表示装置では、通常、画面の上部領域から１ラインずつ順次書き込みを行う。したがって、図１０（Ａ）に示した表示ラインＬ１とＬ２では、書き込みが行われて輝度レベルが変化し始める応答開始時間にずれが生ずる（図１０（Ｂ）参照。）。
【００１５】
ここで、図１０（Ｂ）に対してバックライトのインパルス駆動を行った際のバックライト点灯期間を加味した図を図１０（Ｃ）に示す。バックライト点灯期間ＴＢＬにおける表示ラインＬ１の光量はＳ＋ΔＳ、表示ラインＬ２の光量はＳであり、同じ階調変化でも表示ラインＬ１、Ｌ２が異なれば総光量に差が発生し、画面位置によって輝度が変わってしまう。
【００１６】
＜第４の問題点＞
電源投入時（パワーオン時）における温度センサで検出した温度とパネル表面の温度との温度差の変化により適正なデータ補正を行えない。
図１１は、第４の問題点を説明するための図であり、液晶表示装置にて温度センサで検出した温度Ｔｓとパネル表面の温度Ｔｐとを示している。液晶の応答特性は周囲温度によって変化するため、温度センサ等による温度検出が必要であるが、液晶パネルは表示デバイスであるのでパネル上に温度センサを配置することができない。
【００１７】
そのため、温度センサはパネル上とは異なる装置内の任意の場所に配置される。したがって、図１１に示すようにパネル表面の温度Ｔｐと温度センサで検出した温度Ｔｓには温度差ΔＴが生ずる。この温度差ΔＴを考慮してデータ補正を行うことで適正な高速応答駆動が実現される。
【００１８】
しかし、図１１に示すように電源投入時から安定期までの期間における温度Ｔｐと温度Ｔｓとの温度差は安定期での温度差ΔＴとは異なる。そのため、安定期での温度差ΔＴでデータ補正を行うと、電源投入時から安定期までの期間におけるデータ補正は適正なものではなくなってしまう。
【００１９】
本発明は、このような問題に鑑みてなされたものであり、液晶表示装置における液晶の応答速度を改善できるようにすることを目的とする。
【００２０】
【課題を解決するための手段】
本発明は、液晶表示装置のデータドライバにおける最大階調に対応する出力及び最小階調に対応する出力の少なくとも一方は、液晶の応答速度を改善するデータ補正が施された画像データでのみ使用する。本発明によれば、最大階調に対応する出力及び最小階調に対応する出力はデータ補正前の画像データでは使用されないので、すべての画像データに対してデータ補正を行うことが可能になる。
【００２１】
【発明の実施の形態】
以下、本発明の実施形態を図面に基づいて説明する。
図１は、本発明の実施形態による液晶表示装置の構成例を示すブロック図である。
図１において、１はＰＣ、ＶＩＤＥＯプレーヤー、ＤＶＤプレーヤー等の画像信号源である。２は信号変換部であり、画像信号源１から供給される画像信号ＤＴＡを液晶表示装置３にて処理可能な画像データＤＴＢに変換する。
【００２２】
液晶表示装置３は、画像・タイミング処理部４、ゲートドライバ５、データドライバ６、インバータ７、メモリ８、温度センサ９、及び図示しない表示部を有する。画像・タイミング処理部４は、信号変換部２から供給される画像データＤＴＢに基づいて、液晶表示装置３内の各回路を制御するための制御信号やクロック信号等を生成して供給したり、画像データＤＴＢや当該画像データＤＴＢにデータ補正を施した画像データをデータドライバ６等に供給したりする。
【００２３】
ゲートドライバ５は、画像・タイミング処理部４から供給される制御信号及びクロック信号に基づいて、図示しない表示部の各ゲートラインをそれぞれ駆動することにより、表示部が有する複数のゲートラインを表示部の画面の上部領域から順次駆動する。
データドライバ６は、画像・タイミング処理部４から供給される制御信号、クロック信号、画像データ等に基づいて、表示部の各データラインに当該画像データに応じた電圧を印加する。
【００２４】
ここで、図示しない表示部は、複数のゲートラインと複数のデータラインとがマトリクス状に配列され、ゲートラインとデータラインとの交差部に画像を表示するための画素が配設されている。ゲートライン及びデータラインが、上述したゲートドライバ５及びデータドライバ６によりそれぞれ駆動制御され、画像・タイミング処理部４から供給された画像データに係る画像が表示部に表示される。
【００２５】
インバータ７は、直流電源を交流電源に変換して液晶表示装置のバックライトに供給するとともに、画像・タイミング処理部４からの指示に応じてバックライトを点滅（インパルス駆動）させる。メモリ８は、前フレームの画像データＤＴＢを記憶するためのものであり、温度センサ９は、表示部とは異なる装置内の任意の場所に配置され温度を測定する。
【００２６】
（第１の実施形態）
以下に説明する本発明の第１の実施形態は、上述した第１の問題点を解消するものである。
図２は、第１の実施形態における画像・タイミング処理部４の構成例を示す図である。画像・タイミング処理部４は、ルックアップテーブル（ＬＵＴ）２１及び比較部２２を有する。
【００２７】
ＬＵＴ２１は、画像データＤＴＢが例えば８ビットである場合には、入力される０〜２５５階調の画像データＤＴＢを、液晶に対して供給する１〜２５４階調のデータを用いて２５６種類の階調レベルに変換するためのものである。ＬＵＴ２１は、例えば、上記図９に示した誤差拡散方法と同様な方法で１〜２５４階調のデータ（２５４個）を用いて２５６種類の階調レベルを表現する。なお、０階調のデータ及び２５５階調のデータは、本実施形態では応答速度を改善するためのデータ補正でのみ使用する。
【００２８】
比較部２２は、メモリ８に記憶されている（ｎ−１）フレーム（ｎは自然数）のデータと、ＬＵＴ２１より出力されたｎフレームのデータとを比較し、比較結果に応じて、ｎフレームのデータに応答速度を改善するためのデータ補正を施してデータＤＴとして出力する。上述したようにデータ補正は、０〜２５５階調のすべてのデータを用いて行う。
【００２９】
以上のように第１の実施形態によれば、最小階調のデータ及び最大階調のデータ、例えば画像データＤＴＢが８ビットの場合には０階調のデータ及び２５５階調のデータは、応答速度を改善するためのデータ補正でのみ使用するので、上記第１の問題点を解消し、すべての領域で応答速度を改善するためのデータ補正を行うことができる。したがって、液晶表示装置における液晶の応答速度を改善することができる。
【００３０】
なお、上述した第１の実施形態では、０階調のデータ及び２５５階調のデータを表示する階調レベルとして使用しないので、液晶表示装置３としての階調表現が０〜２５５階調のデータによる２５６階調レベルから１〜２５４階調のデータによる２５４階調レベルになり、階調表現数が２つ減少してしまう。
【００３１】
これを改善する方法として、データドライバ６に、図３に示すように２５５階調の輝度よりも高い輝度に対応する出力ＶＵ及び０階調の輝度よりも低い輝度に対応する出力ＶＬをそれぞれ設けたデータドライバを使用する方法がある。図３は、第１の実施形態での出力レベルの他の例を示す図であり、２５５階調の輝度に対応する出力Ｖ２５５よりも高い輝度ＳＬ２に対応する出力ＶＵ及び０階調の輝度に対応する出力Ｖ０よりも低い輝度ＳＬ１に対応する出力ＶＬが存在する。
【００３２】
このような出力レベルを用いる場合には、例えば、従来の８ビットのデータＤＴに加え、出力ＶＵ、ＶＬを出力させるための特別出力制御ビットを１ビット設ける（図３においては最上位ビット）。そして、特別出力制御ビットが“０”のときは通常の出力（Ｖ０〜Ｖ２５５）とし、特別出力制御ビットが“１”でデータＤＴが“００００００００”のときは出力ＶＬ、データＤＴが“１１１１１１１１”の時は出力ＶＵを出力することで実現することができる。
このように構成することで、液晶表示装置３の階調表現数を低下させることなく、第１の問題点を解消できる。
【００３３】
また、上述した第１の実施形態では、最大階調のデータ及び最小階調のデータの双方を、応答速度を改善するためのデータ補正でのみ使用するようにしているが、液晶表示装置の特性等に応じて何れか一方だけであっても良い。
また、上述した第１の実施形態では、画像データＤＴＢが８ビットの場合を一例として示したが、画像データＤＴＢのビット数は任意である。
また、最大階調の輝度よりも高い輝度に対応する出力ＶＵ及び最小階調の輝度よりも低い輝度に対応する出力ＶＬは、図３においてはそれぞれ１つとしているが複数の異なる出力であっても良く、複数の場合には特別出力制御ビットのビット数を増加させれば良い。
【００３４】
（第２の実施形態）
次に、本発明の第２の実施形態について説明する。
以下に説明する第２の実施形態は、上述した第２の問題点を解消するものである。
図４は、第２の実施形態における画像・タイミング処理部４の構成例を示す図である。画像・タイミング処理部４は、図２に示した比較部２２の機能を含むデータ処理部４１と誤差拡散処理部４２とを有する。
【００３５】
データ処理部４１は、メモリ８に記憶されている（ｎ−１）フレームのデータと、ｎフレームの画像データＤＴＢとを比較し、比較結果に応じて、ｎフレームの画像データＤＴＢに応答速度を改善するためのデータ補正を施してデータＣＤＴとして出力する。また、データ処理部４１は、データＣＤＴがデータ補正を施したデータである場合には、誤差拡散処理部４２での処理を禁止する制御信号ＤＴＬをハイレベルにして誤差拡散処理部４２に出力する。
【００３６】
誤差拡散処理部４２は、データＣＤＴを用いて、例えば図９に示したような誤差拡散に係る処理を行う。ただし、制御信号ＤＴＬがハイレベルの場合には、誤差拡散に係る処理の実行が禁止される。
【００３７】
以上のように第２の実施形態によれば、データＣＤＴが、画像データＤＴＢに応答速度を改善するためのデータ補正を施したデータであるときには、制御信号ＤＴＬをハイレベルにして誤差拡散処理部４２での当該データＣＤＴに対する処理を禁止する。これにより、上記第２の問題点を解消し、データの補正量にずれが生ずることを防止することができる。したがって、液晶表示装置における液晶の応答速度を改善することができる。
【００３８】
（第３の実施形態）
次に、本発明の第３の実施形態について説明する。
以下に説明する第３の実施形態は、上述した第３の問題点を解消するものである。
第３の実施形態では、液晶表示装置の表示部（パネル）の表示ラインＬ１、Ｌ２、具体的には応答開始時間の差に応じて、応答速度を改善するためのデータ補正量を図５に示すように調整する。
【００３９】
図５に示すようにデータ補正量を調整することで、バックライト点灯期間ＴＢＬにおける表示ラインＬ１の光量はＳ＋ΔＳ１、表示ラインＬ２の光量はＳ＋ΔＳ２になり、総光量の差は（ΔＳ１−ΔＳ２）になる。また、図５において、表示ラインＬ２におけるデータ補正量は増加する方向になされるので、ΔＳ１は図１０（Ｃ）に示したΔＳより小さくなり、さらにΔＳ２は正であるので、（ΔＳ１−ΔＳ２）＜ΔＳとなり、表示ラインによる輝度の差が小さくなる。したがって、液晶表示装置における液晶の応答速度を改善することができる。
【００４０】
なお、第３の実施形態におけるデータ補正量の調整は、図２に示した画像・タイミング処理部４と同様の構成で実現でき、少なくともバックライトの光等と特性に応じて、例えば数表示ライン毎にデータ補正量を１増加するようにしても良い。また、表示部を複数のブロックに分割し、それぞれのブロックでの最適なデータ補正量をメモリ等の記憶素子にテーブルとして予め記憶させておき、最適なテーブルを読み込むようにしても良い。なお、これに限定されず、データ補正量の調整方法は任意である。
【００４１】
（第４の実施形態）
次に、本発明の第４の実施形態について説明する。
以下に説明する第４の実施形態は、上述した第４の問題点を解消するものである。
図６（Ａ）は、第４の実施形態における画像・タイミング処理部４の構成例を示す図である。画像・タイミング処理部４は、発振回路６１、温度補正部６２、図２に示した比較部２２の機能を有するデータ処理部６３とを有する。
【００４２】
発振回路６１は、電源投入後の経過時間を計測するためのものである。
温度補正部６２は、発振回路６１から供給される電源投入後の経過時間に基づいて、パネル表面の温度と温度センサで検出した温度との温度差ΔＴを決定し、温度センサ９で検出された温度に温度差ΔＴの補正を加え、それをデータ処理部６３に出力する。この温度差ΔＴの決定は、図９（Ｂ）に示すような経過時間と温度差ΔＴとの関係を予め保持しておき、それを参照して温度差ΔＴを決定する。
【００４３】
データ処理部６３は、メモリ８に記憶されている（ｎ−１）フレームのデータと、ｎフレームの画像データＤＴＢとを比較し、比較結果に応じて、ｎフレームの画像データＤＴＢに応答速度を改善するためのデータ補正を施してデータＤＴとして出力する。このとき、データ処理部６３は、温度補正部６２から供給される補正された温度を考慮してデータ補正を行う。
【００４４】
以上のように第４の実施形態によれば、図６（Ｂ）に示すように電源投入後の経過時間に応じて変化するように、パネル表面の温度と温度センサで検出した温度との温度差ΔＴを設定することで、上記第４の問題点を解消し、電源投入時から常に適切なデータ補正を行うことができる。したがって、液晶表示装置における液晶の応答速度を改善することができる。
【００４５】
なお、上記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
本発明の諸態様を付記として以下に示す。
【００４６】
（付記１）入力される画像データを前フレームの画像データと比較し、比較結果に基づいて液晶の応答速度を改善するデータ補正を上記入力される画像データに施す液晶表示装置であって、
データドライバにおける最大階調に対応する出力及び最小階調に対応する出力の少なくとも一方は、上記データ補正後の画像データでのみ使用することを特徴とする液晶表示装置。
（付記２）上記最大階調に対応する出力及び上記最小階調に対応する出力を、上記データ補正後の画像データでのみ使用することを特徴とする付記１に記載の液晶表示装置。
（付記３）上記データドライバのすべての出力により出力可能な階調数を、上記データ補正後の画像データでのみ使用する階調に対応する出力を除く上記データドライバのすべての出力を任意に組み合わせて表示することを特徴とする付記１に記載の液晶表示装置。
（付記４）上記データドライバにて出力可能な階調と、上記データ補正後の画像データでのみ使用する階調に対応する出力を除く上記データドライバの出力の組み合わせとを対応付けたテーブルを有することを特徴とする付記３に記載の液晶表示装置。
（付記５）上記データ補正後の画像データでのみ使用する階調に対応する出力を除く上記データドライバの出力の組み合わせは、誤差拡散法を適用したことを特徴とする付記３に記載の液晶表示装置。
（付記６）上記データドライバは、上記画像データにより指定可能なすべての階調に対応する出力に加え、上記最大階調の輝度よりも高い輝度に対応する出力及び上記最小階調の輝度よりも低い輝度に対応する出力の少なくとも一方を出力可能であることを特徴とする付記１に記載の液晶表示装置。
（付記７）上記最大階調の輝度よりも高い輝度に対応する出力及び上記最小階調の輝度よりも低い輝度に対応する出力の少なくとも一方は、互いに異なる輝度に対応する複数の出力を出力可能であることを特徴とする付記６に記載の液晶表示装置。
（付記８）入力される画像データにより指定可能なすべての階調に対応する出力に加え、最大階調の輝度よりも高い輝度に対応する出力及び最小階調の輝度よりも低い輝度に対応する出力の少なくとも一方を出力可能であることを特徴とするデータドライバ。
（付記９）入力される画像データを前フレームの画像データと比較し、比較結果に基づいて液晶の応答速度を改善するデータ補正を上記入力される画像データに施す液晶表示装置であって、
上記画像データに処理を施して輝度レベルを増加させる処理部を有し、
上記処理部は上記データ補正後の画像データに対しては処理が禁止されることを特徴とする液晶表示装置。
（付記１０）入力される画像データを前フレームの画像データと比較し、比較結果に基づいて液晶の応答速度を改善するデータ補正を上記入力される画像データに施すとともに、バックライトのインパルス駆動を行う液晶表示装置であって、
上記データ補正における補正量を、少なくとも１水平ライン以上の単位で変化させることを特徴とする液晶表示装置。
（付記１１）入力される画像データを前フレームの画像データと比較し、比較結果に基づいて液晶の応答速度を改善するデータ補正を上記入力される画像データに施すとともに、上記データ補正における補正量を温度に応じて変化させる液晶表示装置であって、
電源投入時から温度安定時までは、温度測定部にて測定した温度を時間経過とともに変化する温度補正量で補正することを特徴とする液晶表示装置。
（付記１２）入力される画像データを前フレームの画像データと比較する第１の工程と、
比較結果に基づいて上記入力される画像データに液晶の応答速度を改善するデータ補正を施す第２の工程とを有し、
データドライバにおける最大階調に対応する出力及び最小階調に対応する出力の少なくとも一方は、上記データ補正後の画像データでのみ使用することを特徴とする液晶表示装置の駆動方法。
（付記１３）上記最大階調に対応する出力及び上記最小階調に対応する出力を、上記データ補正後の画像データでのみ使用することを特徴とする付記１２に記載の液晶表示装置の駆動方法。
（付記１４）上記データドライバのすべての出力により出力可能な階調数を、上記データ補正後の画像データでのみ使用する階調に対応する出力を除く上記データドライバのすべての出力を任意に組み合わせて表示することを特徴とする付記１２に記載の液晶表示装置の駆動方法。
【００４７】
【発明の効果】
以上、説明したように本発明によれば、液晶表示装置のデータドライバにおける最大階調に対応する出力及び最小階調に対応する出力の少なくとも一方は、液晶の応答速度を改善するデータ補正が施された画像データでのみ使用する。これにより、すべての領域で応答速度を改善するためのデータ補正を行うことができ、液晶表示装置における液晶の応答速度を改善することができる。
【図面の簡単な説明】
【図１】本発明の実施形態による液晶表示装置の構成例を示す図である。
【図２】第１の実施形態における画像・タイミング処理部の構成例を示す図である。
【図３】第１の実施形態における出力レベルの他の例を示す図である。
【図４】第２の実施形態における画像・タイミング処理部の構成例を示す図である。
【図５】第３の実施形態を説明するための図である。
【図６】第４の実施形態を説明するための図である。
【図７】第１の問題点を説明するための図である。
【図８】第２の問題点を説明するための図である。
【図９】誤差拡散の一般的な方法を示す図である。
【図１０】第３の問題点を説明するための図である。
【図１１】第４の問題点を説明するための図である。
【符号の説明】
１  画像信号源
２  信号変換部
３  液晶表示装置
４  画像・タイミング処理部
５  ゲートドライバ
６  データドライバ
７  インバータ
８  メモリ
９  温度センサ
【図１】
2004302160.tif 000003
【図２】
2004302160.tif 000004
【図３】
2004302160.tif 000005
【図４】
2004302160.tif 000006
【図５】
2004302160.tif 000007
【図６】
2004302160.tif 000008
【図７】
2004302160.tif 000009
【図８】
2004302160.tif 000010
【図９】
2004302160.tif 000011
【図１０】
2004302160.tif 000012
【図１１】
2004302160.tif 000013